(57)【特許請求の範囲】
【請求項１】
固定セル（Ｆｉｘｅｄ  Ｃｅｌｌ）に接続した端末が移動セル（Ｍｏｖｉｎｇ  Ｃｅｌｌ）にハンドオーバーを行う方法であって、
前記固定セルから前記移動セルに対する測定報告条件及び前記移動セルが測定される時点間の時間間隔についての情報を含む測定設定情報を受信する段階；
前記移動セルに対する測定結果が前記測定報告条件を満たす場合、前記移動セルに対する測定結果を前記固定セルに報告する段階；
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定する段階；及び
前記固定セルに対する主連結を解除し、前記移動セルに対する副連結を主連結に切り替えることによって前記移動セルにハンドオーバーする段階を含む、方法。
【請求項２】
前記移動セルに対する測定結果を前記固定セルに報告する段階は、
前記移動セルを少なくとも２回以上測定して前記移動セルの測定結果を報告するかを判断する、請求項１に記載の方法。
【請求項３】
前記移動セルの測定結果を報告するかを判断する段階は、
第１時点と第２時点で共に前記移動セルの信号品質が前記固定セルの信号品質より所定のオフセット以上の分だけ高い場合、前記移動セルに対する測定結果を前記固定セルに報告することを決定する、請求項２に記載の方法。
【請求項４】
前記移動セルの測定結果を報告するかを判断する段階は、
第１時点と第２時点で共に前記移動セルの信号品質が所定の閾値より高い場合、前記移動セルに対する測定結果を前記固定セルに報告することを決定する、請求項２に記載の方法。
【請求項５】
前記時間間隔についての情報は、
前記移動セルの移動速度及び前記端末の移動速度の少なくとも一つに基づいて決定する、請求項１に記載の方法。
【請求項６】
前記移動セルに対する副連結を前記主連結に切り替えるための条件を含むメッセージを受信する段階をさらに含む、請求項１に記載の方法。
【請求項７】
前記移動セルに対する副連結を前記主連結に切り替えるための条件は、
前記固定セルの信号品質が第１閾値より低くなる場合；及び
特定の時点後に前記移動セルの信号品質が第２閾値より高くなる場合の少なくとも一つを含む、請求項６に記載の方法。
【請求項８】
固定セル（Ｆｉｘｅｄ  Ｃｅｌｌ）が端末のハンドオーバーを支援する方法であって、
前記固定セルに接続した移動セル（Ｍｏｖｉｎｇ  Ｃｅｌｌ）に対する測定報告条件及び前記移動セルが測定される時点間の時間間隔についての情報を含む測定設定情報を前記端末に送信する段階；
前記移動セルに対する測定結果が前記測定報告条件を満たす場合、前記移動セルに対する測定結果を前記端末から受信する段階；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを前記端末に送信する段階を含み、
前記ＲＲＣ連結再設定メッセージは、前記端末が前記移動セルにハンドオーバーするために、前記固定セルに対する主連結を解除し、前記移動セルに対する副連結を主連結に切り替える条件を含む、方法。
【請求項９】
前記移動セルに対する測定報告条件は、
第１時点と第２時点で共に前記移動セルの信号品質が前記固定セルの信号品質より所定のオフセット以上の分だけ高い場合；及び
前記第１時点と前記第２時点で共に前記移動セルの信号品質が所定の閾値より高い場合の少なくとも一つを含む、請求項８に記載の方法。
【請求項１０】
前記時間間隔についての情報は、
前記移動セルの移動速度及び前記端末の移動速度の少なくとも一つに基づいて決定する、請求項８に記載の方法。
【請求項１１】
前記移動セルに対する副連結を前記主連結に切り替えるための条件は、
前記固定セルの信号品質が第１閾値より低くなる場合；及び
特定の時点後に前記移動セルの信号品質が第２閾値より高くなる場合の少なくとも一つを含む、請求項８に記載の方法。
【請求項１２】
固定セル（Ｆｉｘｅｄ  Ｃｅｌｌ）から移動セル（Ｍｏｖｉｎｇ  Ｃｅｌｌ）にハンドオーバーを行う端末であって、
前記固定セルから前記移動セルに対する測定報告条件及び前記移動セルが測定される時点間の時間間隔についての情報を含む測定設定情報を受信する受信機；
前記移動セルに対する測定結果が前記測定報告条件を満たす場合、前記移動セルに対する測定結果を前記固定セルに報告する送信機；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定し、前記固定セルに対する主連結を解除し、前記移動セルに対する副連結を主連結に切り替えることによって前記移動セルにハンドオーバーするプロセッサを含む、端末。
【請求項１３】
端末のハンドオーバーを支援する固定セル（Ｆｉｘｅｄ  Ｃｅｌｌ）であって、
前記固定セルに接続した移動セル（Ｍｏｖｉｎｇ  Ｃｅｌｌ）に対する測定報告条件及び前記移動セルが測定される時点間の時間間隔についての情報を含む測定設定情報を前記端末に送信する送信機；
前記移動セルに対する測定結果が前記測定報告条件を満たす場合、前記移動セルに対する測定結果を前記端末から受信する受信機；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを生成するプロセッサを含み、
前記ＲＲＣ連結再設定メッセージは、前記端末が前記移動セルにハンドオーバーするために、前記固定セルに対する主連結を解除し、前記移動セルに対する副連結を主連結に切り替える条件を含む、固定セル。
【発明の詳細な説明】
【技術分野】
【０００１】
本発明は無線通信システムに関するもので、より詳しくは端末が移動セル（ｍｏｖｉｎｇ  ｃｅｌｌ）にハンドオーバー（ｈａｎｄｏｖｅｒ）を行う方法及び装置に関するものである。
【背景技術】
【０００２】
無線通信システムは、音声やデータなどの多様な種類の通信サービスを提供するために広範囲に展開されている。一般に、無線通信システムは、可用なシステム資源（帯域幅、伝送パワーなど）を共有し、多重使用者との通信をサポートできる多重接続（ｍｕｌｔｉｐｌｅ  ａｃｃｅｓｓ）システムである。多重接続システムの例としては、ＣＤＭＡ（Ｃｏｄｅ  Ｄｉｖｉｓｉｏｎ  Ｍｕｌｔｉｐｌｅ  Ａｃｃｅｓｓ）システム、ＦＤＭＡ（Ｆｒｅｑｕｅｎｃｙ  Ｄｉｖｉｓｉｏｎ  Ｍｕｌｔｉｐｌｅ  Ａｃｃｅｓｓ）システム、ＴＤＭＡ（Ｔｉｍｅ  Ｄｉｖｉｓｉｏｎ  Ｍｕｌｔｉｐｌｅ  Ａｃｃｅｓｓ）システム、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システム、ＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）システムなどがある。
【０００３】
最近、様々な形態のスモールセル（Ｓｍａｌｌ  Ｃｅｌｌ）、例えば、ピコセルやフェムトセルがマクロセルと連動する形態に無線接続網構造が変化している。Ｃｅｌｌ構造を多層化することによってデータ伝送率とＱｏＥを向上させることができる。３ＧＰＰでは、スモールセルの改善のために、低電力ノードを使用する室内（Ｉｎｄｏｏｒ）／室外（Ｏｕｔｄｏｏｒ）シナリオが議論されており、これは、３ＧＰＰ  ＴＲ  ３６．９３２に記述されている。また、マクロセルとスモールセルに対する同時接続性（Ｄｕａｌ  Ｃｏｎｎｅｃｔｉｖｉｔｙ）が議論されている。このように、将来の無線通信環境では多くのスモールセルが使用されるに伴い、端末とセルが物理的にさらに近くに位置するようになると予想される。
【発明の概要】
【発明が解決しようとする課題】
【０００４】
本発明が達成しようとする技術的課題は、端末が移動セルに効率的にハンドオーバーを行う方法を提供することにある。
【０００５】
本発明で達成しようとする技術的課題は以上で言及した技術的課題に制限されなく、さらに他の技術的課題が本発明の実施例から類推できる。
【課題を解決するための手段】
【０００６】
本発明の一態様による、固定セル（Ｆｉｘｅｄ  Ｃｅｌｌ）に接続した端末が移動セル（Ｍｏｖｉｎｇ  Ｃｅｌｌ）にハンドオーバーを行う方法は、前記固定セルから前記移動セルに対する測定報告条件を含む測定設定情報を受信する段階；前記移動セルに対する測定結果が前記測定報告条件を満たす場合、前記移動セルに対する測定結果を前記固定セルに報告する段階；前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定する段階；及び前記固定セルに対する主連結を解除し、前記移動セルに対する副連結を主連結に切り替えることによって前記移動セルにハンドオーバーする段階を含む。
【０００７】
本発明の一態様による、固定セル（Ｆｉｘｅｄ  Ｃｅｌｌ）から移動セル（Ｍｏｖｉｎｇ  Ｃｅｌｌ）にハンドオーバーを行う端末は、前記固定セルから前記移動セルに対する測定報告条件を含む測定設定情報を受信する受信機；前記移動セルに対する測定結果が前記測定報告条件を満たす場合、前記移動セルに対する測定結果を前記固定セルに報告する送信機；及び前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定し、前記固定セルに対する主連結を解除し、前記移動セルに対する副連結を主連結に切り替えることによって前記移動セルにハンドオーバーするプロセッサを含む。
【０００８】
好ましくは、端末は、前記移動セルを少なくとも２回以上測定し、前記移動セルの測定結果を報告するかを判断することができる。例えば、端末は、第１時点と第２時点で共に前記移動セルの信号品質が前記固定セルの信号品質より所定のオフセット以上の分だけ高い場合、前記移動セルに対する測定結果を前記固定セルに報告することによって決定することができる。また、端末は、第１時点と第２時点で共に前記移動セルの信号品質が所定の閾値より高い場合、前記移動セルに対する測定結果を前記固定セルに報告することによって決定することができる。
【０００９】
より好ましくは、前記測定設定情報は、前記移動セルが測定される時点間の時間間隔についての情報をさらに含むことができる。また、前記時間間隔についての情報は、前記移動セルの移動速度及び前記端末の移動速度の少なくとも一つに基づいて決定することができる。
【００１０】
端末は、前記移動セルに対する副連結を前記主連結に切り替えるための条件を含むメッセージを受信することができる。例えば、前記移動セルに対する副連結を前記主連結に切り替えるための条件は、前記固定セルの信号品質が第１閾値より低くなる場合；及び特定の時点後に前記移動セルの信号品質が第２閾値より高くなる場合の少なくとも一つを含むことができる。
【００１１】
本発明のさらに他の形態による、固定セル（Ｆｉｘｅｄ  Ｃｅｌｌ）が端末のハンドオーバーを支援する方法は、前記固定セルに接続した移動セル（Ｍｏｖｉｎｇ  Ｃｅｌｌ）に対する測定報告条件を含む測定設定情報を前記端末に送信する段階；前記移動セルに対する測定結果が前記測定報告条件を満たす場合、前記移動セルに対する測定結果を前記端末から受信する段階；及び前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを前記端末に送信する段階を含み、前記ＲＲＣ連結再設定メッセージは、前記端末が前記移動セルにハンドオーバーするために、前記固定セルに対する主連結を解除し、前記移動セルに対する副連結を主連結に切り替える条件を含む。
【００１２】
本発明のさらに他の一態様による、端末のハンドオーバーを支援する固定セル（Ｆｉｘｅｄ  Ｃｅｌｌ）は、前記固定セルに接続した移動セル（Ｍｏｖｉｎｇ  Ｃｅｌｌ）に対する測定報告条件を含む測定設定情報を前記端末に送信する送信機；前記移動セルに対する測定結果が前記測定報告条件を満たす場合、前記移動セルに対する測定結果を前記端末から受信する受信機；及び前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを生成するプロセッサを含み、前記ＲＲＣ連結再設定メッセージは、前記端末が前記移動セルにハンドオーバーするために、前記固定セルに対する主連結を解除し、前記移動セルに対する副連結を主連結に切り替える条件を含む。
【発明の効果】
【００１３】
本発明の一実施例によると、端末のハンドオーバーにセルの移動性を考慮することにより、端末とは違う経路に沿って移動する移動セルに端末が無駄にハンドオーバーを行うことになる問題を解決することができ、端末が固定セルとの無線連結を維持した状態で移動セルとの無線連結を行うので、ハンドオーバーにおけるデータ中断を最小化することができる。
【００１４】
本発明による技術的効果は以上で言及した技術的効果に制限されなく、他の技術的効果が本発明の実施例から類推されることができる。
【図面の簡単な説明】
【００１５】
【図１】無線フレームの構造を示す図である。
【図２】下りリンクスロットにおけるリソースグリッド（ｒｅｓｏｕｒｃｅ  ｇｒｉｄ）を示す図である。
【図３】下りリンクサブフレームの構造を示す図である。
【図４】上りリンクサブフレームの構造を示す図である。
【図５】ＦＤＤシステムにおけるＰＳＳ／ＳＳＳを説明するための図である。
【図６】ＰＢＣＨを説明するための図である。
【図７】端末が固定セルにハンドオーバーする手順を説明するための図である。
【図８】端末がセルを測定して報告する過程を説明するための図である。
【図９】本発明の一実施例によって端末が移動セルにハンドオーバーする手順を説明するための図である。
【図１０】本発明の他の一実施例によって端末が移動セルにハンドオーバーする手順を説明するための図である。
【図１１】本発明の一実施例による測定報告条件を説明するための図である。
【図１２】本発明の一実施例による端末とセル（Ｃｅｌｌ）を示す図である。
【発明を実施するための形態】
【００１６】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００１７】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００１８】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００１９】
以下の説明で使われる特定用語は、本発明の理解を助けるために提供されるものであり、このような特定用語の使用は、本発明の技術的思想から逸脱しない範囲で他の形態に変更してもよい。
【００２０】
場合によって、本発明の概念が曖昧になることを避けるために、公知の構造及び装置は省略されるか、各構造及び装置の核心機能を中心にしたブロック図の形式で図示されることもある。また、本明細書全体を通じて同一の構成要素には同一の図面符号を付して説明する。
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００２１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ  ＬＴＥ及び３ＧＰＰ  ＬＴＥ−Ａシステムを中心に説明するが、本発明の技術的思想がこれに制限されることはない。
【００２２】
図１を参照して３ＧＰＰ  ＬＴＥシステムの無線フレーム構造について説明する。
【００２３】
セルラーＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）無線パケット通信システムにおいて、上り／下りリンクデータパケット送信はサブフレーム（ｓｕｂｆｒａｍｅ）単位で行われ、１サブフレームは複数のＯＦＤＭシンボルを含む一定時間区間で定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００２４】
図１（ａ）は、タイプ１の無線フレーム構造を示す図である。１個の無線フレーム（ｒａｄｉｏ  ｆｒａｍｅ）は１０個のサブフレーム（ｓｕｂｆｒａｍｅ）で構成され、１個のサブフレームは時間領域（ｔｉｍｅ  ｄｏｍａｉｎ）において２個のスロット（ｓｌｏｔ）で構成される。１サブフレームを送信するために掛かる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは下りリンクにおいてＯＦＤＭＡを用いるため、ＯＦＤＭシンボルが１つのシンボル区間を表す。ＯＦＤＭシンボルはまた、ＳＣ−ＦＤＭＡシンボル又はシンボル区間と呼ばれることもある。リソースブロック（Ｒｅｓｏｕｒｃｅ  Ｂｌｏｃｋ；ＲＢ）はリソース割当て単位であり、１スロットにおいて複数個の連続した副搬送波（ｓｕｂｃａｒｒｉｅｒ）を含むことができる。
【００２５】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増えるため、１スロットに含まれるＯＦＤＭシンボルの数は正規ＣＰの場合に比べて少ない。拡張ＣＰの場合に、例えば、１スロットに含まれるＯＦＤＭシンボルの数は６個であってよい。端末が高速で移動するなどの場合のようにチャネル状態が安定していない場合、シンボル間干渉をより減らすために拡張ＣＰを用いられればよい。
【００２６】
一般ＣＰが使用されている場合、１つのスロットは、７つのＯＦＤＭシンボルを含むので、一つのサブフレームは、１４個のＯＦＤＭシンボルを含んでいる。ここで、各サブフレームの最初の２つ又は３つのＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００２７】
図１（ｂ）は、タイプ２の無線フレーム構造を示す図である。タイプ２の無線フレームは、２個のハーフフレーム（ｈａｌｆ  ｆｒａｍｅ）で構成され、各ハーフフレームは、５個のサブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）で構成され、１個のサブフレームは２個のスロットで構成される。ＤｗＰＴＳは、端末での初期セル探索、同期化又はチャネル推定のために用いられる。ＵｐＰＴＳは、基地局でチャネル推定及び端末と上り送信同期を取るために用いられる。保護区間は、上りリンクと下りリンクとの間に下りリンク信号の多重経路遅延によって上りリンクで生じる干渉を除去するための区間である。一方、無線フレームのタイプによらず、１個のサブフレームは２個のスロットで構成される。
【００２８】
無線フレームの構造は例示に過ぎず、無線フレームに含まれるサブフレームの数、サブフレームに含まれるスロットの数、又はスロットに含まれるシンボルの数は様々に変更されてもよい。
【００２９】
図２は、下りリンクスロットでのリソースグリッド（ｒｅｓｏｕｒｃｅ  ｇｒｉｄ）を示す図である。同図では、１個の下りリンクスロットが時間領域において７個のＯＦＤＭシンボルを含み、１個のリソースブロック（ＲＢ）が周波数領域において１２個の副搬送波を含むとしているが、本発明はこれに制限されない。例えば、正規ＣＰでは１スロットが７  ＯＦＤＭシンボルを含むが、拡張ＣＰでは１スロットが６  ＯＦＤＭシンボルを含むことができる。リソースグリッド上のそれぞれの要素をリソース要素（ｒｅｓｏｕｒｃｅ  ｅｌｅｍｅｎｔ）という。１リソースブロックは１２×７リソース要素を含んでいる。下りリンクスロットに含まれるリソースブロックのＮＤＬの個数は下りリンク送信帯域幅による。上りリンクスロットの構造は下りリンクスロットの構造と同一であってよい。
【００３０】
図３は、下りリンクサブフレームの構造を示す図である。一つのサブフレームにおいて第１のスロットの先頭部における最大３個のＯＦＤＭシンボルは、制御チャネルが割り当てられる制御領域に該当する。残りのＯＦＤＭシンボルは、物理下りリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムにおいて用いられる下りリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ  ＡＣＫ／ＮＡＣＫ信号を含む。ＰＤＣＣＨを介して送信される制御情報を下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクのスケジューリング情報を含むか、任意の端末グループに対する上りリンク送信電力制御命令を含む。ＰＤＣＣＨは、下りリンク共有チャネル（ＤＬ−ＳＣＨ）のリソース割当て及び送信フォーマット、上りリンク共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは、一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレートとの相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣ���Ｈが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることもできる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることもできる。端末のランダムアクセスプリアンブルの送信に対する応答であるランダムアクセス応答を表すために、ランダムアクセス−ＲＮＴＩ（ＲＡ−ＲＮＴＩ）をＣＲＣにマスクすることもできる。
【００３１】
図４は、上りリンクサブフレームの構造を示す図である。上りリンクサブフレームは、周波数領域で制御領域とデータ領域とに分割されてもよい。制御領域には、上りリンク制御情報を含む物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理上りリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波の特性を維持するために、一つの端末はＰＵＣＣＨとＰＵＳＣＨを同時に伝送しない。一つの端末に対するＰＵＣＣＨは、サブフレームにおいてリソースブロック対（ＲＢ  ｐａｉｒ）に割り当てられる。リソースブロック対に属するリソースブロックは、２スロットに対して異なる副搬送波を占める。これを、ＰＵＣＣＨに割り当てられるリソースブロック対がスロット境界で周波数ホッピング（ｆｒｅｑｕｅｎｃｙ−ｈｏｐｐｅｄ）されるという。
【００３２】
（ＰＳＳ（Ｐｒｉｍａｒｙ  ｓｙｎｃｈｒｏｎｏｕｓ  ｓｉｇｎａｌ）／ＳＳＳ（Ｓｅｃｏｎｄａｒｙ  Ｓｙｎｃｈｒｏｎｏｕｓ  Ｓｉｇｎａｌ））
図５は、ＬＴＥ／ＬＴＥ−Ａシステムにおいてセル探索（ｃｅｌｌ  ｓｅａｒｃｈ）に使用される同期信号であるＰＳＳ及びＳＳＳを説明するための図である。ＰＳＳ及びＳＳＳを説明する前に、セル探索について説明すると、セル探索は、端末が最初にセルに接続する場合、現在接続されているセルから他のセルにハンドオーバーを行う場合、又はセル再選択（Ｃｅｌｌ  ｒｅｓｅｌｅｃｔｉｏｎ）の場合などのために行うものであって、セルに対する周波数及びシンボル同期取得、セルの下りリンクフレーム同期取得、及びセル識別子（ＩＤ）の決定からなることができる。セル識別子は、３個が一つのセルグループをなし、セルグループは１６８個が存在することができる。
【００３３】
セル探索のために、基地局ではＰＳＳ及びＳＳＳを伝送する。端末は、ＰＳＳを検出して、セルの５ｍｓタイミングを取得し、セルグループ内のセル識別子に対して知ることができる。また、端末は、ＳＳＳを検出してラジオフレームタイミング及びセルグループを知ることができる。
【００３４】
図５を参照すると、ＰＳＳは、０番及び５番サブフレームで伝送され、より詳細には、０番及び５番サブフレームにおいて最初のスロットの最後のＯＦＤＭシンボルで伝送される。また、ＳＳＳは、０番及び５番サブフレームの最初のスロットの最後から２番目のＯＦＤＭシンボルで伝送される。すなわち、ＳＳＳは、ＰＳＳが伝送される直前のＯＦＤＭシンボルで伝送される。このような伝送タイミングはＦＤＤの場合であり、ＴＤＤの場合、ＰＳＳは１番及び６番サブフレームの３番目のシンボル、すなわち、ＤｗＰＴＳで伝送され、ＳＳＳは０番及び５番サブフレームの最後のシンボルで伝送される。すなわち、ＴＤＤにおいて、ＳＳＳは、ＰＳＳよりも３シンボルの前で伝送される。
【００３５】
ＰＳＳは、長さ６３のザドフチュー（Ｚａｄｏｆｆ−Ｃｈｕ）シーケンスであり、実際の伝送においては、シーケンスの両端に０がパディングされ、シーケンスがシステム周波数帯域幅の中央の７３個の副搬送波（ＤＣ副搬送波を除けば７２個の副搬送波、すなわち、６ＲＢ）上に伝送される。ＳＳＳは、長さ３１の２つのシーケンスが周波数インターリーブされた長さ６２のシーケンスからなり、ＰＳＳと同様に、全体システム帯域幅の中央の７２個の副搬送波上で伝送される。
【００３６】
（ＰＢＣＨ（Ｐｈｙｓｉｃａｌ  Ｂｒｏａｄｃａｓｔ  Ｃｈａｎｎｅｌ））
図６は、ＰＢＣＨを説明するための図である。ＰＢＣＨは、主情報ブロック（Ｍａｓｔｅｒ  Ｉｎｆｏｒｍａｔｉｏｎ  Ｂｌｏｃｋ、ＭＩＢ）に該当するシステム情報が伝送されるチャネルであって、端末が上述したＰＳＳ／ＳＳＳを介して下りリンク同期を取得し、セル識別子を取得した後、システム情報を取得するのに使用される。ここで、ＭＩＢには、下りリンクセル帯域幅情報、ＰＨＩＣＨ設定情報、サブフレーム番号（Ｓｙｓｔｅｍ  Ｆｒａｍｅ  Ｎｕｍｂｅｒ、ＳＦＮ）などが含まれてもよい。
【００３７】
ＭＩＢは、図６に示したように、一つのＭＩＢ伝送ブロックが、４個の連続した無線フレームにおいてそれぞれ最初のサブフレームを介して伝送される。より詳細に説明すると、ＰＢＣＨは、４個の連続した無線フレームにおいて０番サブフレームの２番目のスロットの先頭４個のＯＦＤＭシンボルで伝送される。したがって、一つのＭＩＢを伝送するＰＢＣＨは、４０ｍｓの周期で伝送される。ＰＢＣＨは、周波数軸において全体帯域幅の中央の７２個の副搬送波上で伝送され、これは、最も小さい下りリンク帯域幅である６ＲＢに該当するもので、端末が全体システム帯域幅の大きさを知らない場合にも問題なくＢＣＨを復号できるようにするためである。  
【００３８】
（搬送波併合（Ｃａｒｒｉｅｒ  Ａｇｇｒｅｇａｔｉｏｎ））
搬送波併合を説明するに先立ち、ＬＴＥ−Ａで無線リソースを管理するために導入されたセル（Ｃｅｌｌ）の概念について説明する。セルは下りリンクリソースと上りリンクリソースの組合せであると理解することができる。ここで、上りリンクリソースは必須要素ではなく、よってセルは下りリンクリソースの単独又は下りリンクリソース及び上りリンクリソースでなることができる。下りリンクリソースは下りリンク構成搬送波（Ｄｏｗｎｌｉｎｋ  ｃｏｍｐｏｎｅｎｔ  ｃａｒｒｉｅｒ；ＤＬ  ＣＣ）と、上りリンクリソースは上りリンク構成搬送波（Ｕｐｌｉｎｋ  ｃｏｍｐｏｎｅｎｔ  ｃａｒｒｉｅｒ；ＵＬ  ＣＣ）と言える。ＤＬ  ＣＣ及びＵＬ  ＣＣは搬送波周波数（ｃａｒｒｉｅｒ  ｆｒｅｑｕｅｎｃｙ）に表現されることができ、搬送波周波数は該当のセルでの中心周波数（ｃｅｎｔｅｒ  ｆｒｅｑｕｅｎｃｙ）を意味する。
【００３９】
セルはプライマリー周波数（ｐｒｉｍａｒｙ  ｆｒｅｑｕｅｎｃｙ）で動作するプライマリーセル（ｐｒｉｍａｒｙ  ｃｅｌｌ、ＰＣｅｌｌ）とセカンダリー周波数（ｓｅｃｏｎｄａｒｙ  ｆｒｅｑｕｅｎｃｙ）で動作するセカンダリーセル（ｓｅｃｏｎｄａｒｙ  ｃｅｌｌ、ＳＣｅｌｌ）に分類されることができる。ＰＣｅｌｌとＳＣｅｌｌはサービングセル（ｓｅｒｖｉｎｇ  ｃｅｌｌ）と通称されることができる。ＰＣｅｌｌは端末が初期連結設定（ｉｎｉｔｉａｌ  ｃｏｎｎｅｃｔｉｏｎ  ｅｓｔａｂｌｉｓｈｍｅｎｔ）過程を行うか、連結再設定過程又はハンドオーバー過程で指示されたセルがＰＣｅｌｌとなることができる。すなわち、ＰＣｅｌｌは後述する搬送波併合環境で制御関連中心となるセルに理解されることができる。端末は自分のＰＣｅｌｌでＰＵＣＣＨを割り当てられて送信することができる。ＳＣｅｌｌはＲＲＣ（Ｒａｄｉｏ  Ｒｅｓｏｕｒｃｅ  Ｃｏｎｔｒｏｌ）連結設定がなされた後に構成可能であり、追加の無線リソースを提供するのに使われることができる。搬送波併合環境でＰＣｅｌｌを除いた残りのサービングセルをＳＣｅｌｌと見なすことができる。ＲＲＣ＿ＣＯＮＮＥＣＴＥＤ状態にあるが搬送波併合が設定されていないか搬送波併合を支援しない端末の場合、ＰＣｅｌｌのみで構成されたサービングセルがただ一つ存在する。一方、ＲＲＣ＿ＣＯＮＮＥＣＴＥＤ状態にあるとともに搬送波併合が設定された端末の場合、一つ以上のサービングセルが存在し、全てのサービングセルにはＰＣｅｌｌと全てのＳＣｅｌｌが含まれる。搬送波併合を支援する端末のために、ネットワークは初期保安活性化（ｉｎｉｔｉａｌ  ｓｅｃｕｒｉｔｙ  ａｃｔｉｖａｔｉｏｎ）過程が開始された後、連結設定過程で初期に構成されるＰＣｅｌｌに付け加えて一つ以上のＳＣｅｌｌを構成することができる。
【００４０】
搬送波併合は超高速伝送率に対する要求に合わせるためにより広い帯域を使うように導入された技術である。搬送波併合は搬送波周波数が相異なる２個以上の構成搬送波（ｃｏｍｐｏｎｅｎｔ  ｃａｒｒｉｅｒ、ＣＣ）又は２個以上のセルの併合（ａｇｇｒｅｇａｔｉｏｎ）に定義できる。ここで、各ＣＣは周波数上で連続的であってもよく、非連続的であってもよい。
【００４１】
端末は、下りリンクデータを複数のＤＬ  ＣＣを介して同時に受信しモニタリングすることができる。それぞれのＤＬ  ＣＣとＵＬ  ＣＣの間のリンケージ（ｌｉｎｋａｇｅ）はシステム情報によって指示できる。ＤＬ  ＣＣ／ＵＬ  ＣＣリンクはシステムに固定されているかあるいは半静的に構成できる。また、システムの全帯域がＮ個のＣＣで構成されても、特定の端末がモニタリング／受信することができる周波数帯域はＭ（＜Ｎ）個のＣＣに限定できる。キャリア併合に対する多様なパラメーターはセル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）の方式で設定できる。
【００４２】
クロス搬送波スケジューリングとは、例えば複数のサービングセルのいずれか一つのＤＬ  ＣＣの制御領域に他のＤＬ  ＣＣの下りリンクスケジューリング割当て情報を全て含むこと、あるいは複数のサービングセルのいずれか一つのＤＬ  ＣＣの制御領域にそのＤＬ  ＣＣにリンクされている複数のＵＬ  ＣＣに対する上りリンクスケジューリング承認情報を全て含むことを意味する。
【００４３】
クロス搬送波スケジューリングに関連し、搬送波指示子フィールド（ｃａｒｒｉｅｒ  ｉｎｄｉｃａｔｏｒ  ｆｉｅｌｄ、ＣＩＦ）について説明する。ＣＩＦはＰＤＣＣＨを介して送信されるＤＣＩフォーマットに含まれているか（例えば、３ビット大きさに定義される）又は含まれていないこともあり（例えば、０ビット大きさに定義される）、含まれている場合、クロス搬送波スケジューリングが適用されたものを示す。クロス搬送波スケジューリングが適用されない場合には、下りリンクスケジューリング割当て情報は現在下りリンクスケジューリング割当て情報が送信されるＤＬ  ＣＣ上で有効である。また、上りリンクスケジューリングの承認は下りリンクスケジューリング割当て情報が送信されるＤＬ  ＣＣにリンクされた一つのＵＬ  ＣＣに対して有効である。
【００４４】
クロス搬送波スケジューリングが適用された場合、ＣＩＦはいずれか一つのＤＬ  ＣＣでＰＤＣＣＨを介して送信される下りリンクスケジューリング割当て情報に関連したＣＣを指示する。例えば、ＤＬ  ＣＣ  Ａ上の制御領域内のＰＤＣＣＨを介してＤＬ  ＣＣ  Ｂ及びＤＬ  ＣＣ  Ｃに対する下りリンク割当て情報、つまりＰＤＳＣＨリソースについての情報が送信される。端末はＤＬ  ＣＣ  Ａをモニタリングし、ＣＩＦによってＰＤＳＣＨのリソース領域及び該当のＣＣが分かる。
【００４５】
ＰＤＣＣＨにＣＩＦが含まれるかあるいは含まれないかは半静的に設定でき、上位階層シグナリングによって端末特定に活性化できる。
【００４６】
ＣＩＦが非活性化（ｄｉｓａｂｌｅｄ）の場合、特定のＤＬ  ＣＣ上のＰＤＣＣＨは該当の同じＤＬ  ＣＣ上のＰＤＳＣＨリソースを割り当て、特定のＤＬ  ＣＣにリンクされたＵＬ  ＣＣ上のＰＵＳＣＨリソースを割り当てることができる。この場合、既存のＰＤＣＣＨ構造と同一のコーディング方式、ＣＣＥに基づくリソースマッピング、ＤＣＩフォーマットなどが適用できる。
【００４７】
一方、ＣＩＦが活性化（ｅｎａｂｌｅｄ）の場合、特定のＤＬ  ＣＣ上のＰＤＣＣＨは複数の併合されたＣＣの中でＣＩＦが指示する一つのＤＬ／ＵＬ  ＣＣ上でのＰＤＳＣＨ／ＰＵＳＣＨリソースを割り当てることができる。この場合、既存のＰＤＣＣＨＤＣＩフォーマットにＣＩＦがさらに定義でき、固定された３ビット長さのフィールドに定義されるか、ＣＩＦ位置がＤＣＩフォーマット大きさに関係なく固定されることもできる。この場合にも、既存のＰＤＣＣＨ構造と同一のコーディング方式、ＣＣＥに基づくリソースマッピング、ＤＣＩフォーマットなどが適用できる。
【００４８】
ＣＩＦが存在する場合にも、基地局はＰＤＣＣＨをモニタリングするＤＬ  ＣＣセットを割り当てることができる。これにより、端末のブラインドデコーディングの負担が減少することができる。ＰＤＣＣＨモニタリングＣＣセットは全ての併合されたＤＬ  ＣＣの一部であり、端末はＰＤＣＣＨの検出／デコーディングを該当のＣＣセットでのみ行うことができる。すなわち、端末に対してＰＤＳＣＨ／ＰＵＳＣＨをスケジューリングするために、基地局はＰＤＣＣＨをＰＤＣＣＨモニタリングＣＣセット上でのみ送信することができる。ＰＤＣＣＨモニタリングＤＬ  ＣＣセットは端末特定又は端末グループ特定又はセル特定に設定できる。例えば、３個のＤＬ  ＣＣが併合される場合、ＤＬ  ＣＣ  ＡがＰＤＣＣＨモニタリングＤＬ  ＣＣに設定できる。ＣＩＦが非活性化の場合、それぞれのＤＬ  ＣＣ上のＰＤＣＣＨはＤＬ  ＣＣ  ＡでのＰＤＳＣＨのみをスケジューリングすることができる。一方、ＣＩＦが活性化すれば、ＤＬ  ＣＣ  Ａ上のＰＤＣＣＨはＤＬ  ＣＣ  Ａはもちろんのこと、他のＤＬ  ＣＣでのＰＤＳＣＨもスケジューリングすることができる。ＤＬ  ＣＣ  ＡがＰＤＣＣＨモニタリングＣＣに設定される場合には、ＤＬ  ＣＣ  Ｂ及びＤＬ  ＣＣ  ＣにはＰＤＣＣＨが送信されないこともある。
【００４９】
（固定セル（Ｆｉｘｅｄ  ｃｅｌｌ）へのハンドオーバー）
図７は端末が固定セルにハンドオーバーする手順を説明するための図である。
【００５０】
図７で、ネットワークシステムは、端末、ソース基地局（Ｓｏｕｒｃｅ  ｅＮＢ）及びターゲット基地局（Ｔａｒｇｅｔ  ｅＮＢ）を含むことができる。この際、ソース基地局は端末にスケジューリングサービスを提供するサービング基地局（又はサービングセル）であり、ターゲット基地局（又はターゲットセル）はハンドオーバーが完了した後に端末にスケジューリングサービスを提供する基地局である。
【００５１】
図７を参照すると、端末はソース基地局に隣接セルに対する測定結果を含む測定報告メッセージを送信する（Ｓ６０１）。ここで、測定報告には参照信号受信電力（Ｒｅｆｅｒｅｎｃｅ  ｓｉｇｎａｌ  ｒｅｃｅｉｖｅ  ｐｏｗｅｒ、ＲＳＲＰ）、受信信号強度（Ｒｅｃｅｉｖｅｄ  ｓｉｇｎａｌ  ｓｔｒｅｎｇｔｈ  ｉｎｄｉｃａｔｏｒ、ＲＳＳＩ）、参照信号受信品質（Ｒｅｆｅｒｅｎｃｅ  ｓｉｇｎａｌ  ｒｅｃｅｉｖｅｄ  ｑｕａｌｉｔｙ、ＲＳＲＱ）などが含まれることができる。ＲＳＲＰは下りリンクＲＳの大きさを測定することによって得られる測定値である。ＲＳＳＩは端末での総受信電力値で、隣接したセルからの干渉及びノイズ電力などを含む測定値である。ＲＳＲＱはＮ＊ＲＳＲＰ／ＲＳＳＩに基づいて獲得される値である。この際、ＮはＲＳＳＩ測定時の帯域幅のＲＢ個数である。
【００５２】
測定報告は次のようなイベントに基づく測定報告判定によってその伝送が決定できる。測定報告判定のためのイベントには、ｉ）サービングセル（ｓｅｒｖｉｎｇ  ｃｅｌｌ）に対する測定値が絶対閾値より大きくなる場合（Ｓｅｒｖｉｎｇ  ｃｅｌｌ  ｂｅｃｏｍｅｓ  ｂｅｔｔｅｒ  ｔｈａｎ  ａｂｓｏｌｕｔｅ  ｔｈｒｅｓｈｏｌｄ）、ｉｉ）サービングセルに対する測定値が絶対閾値より小さくなる場合（Ｓｅｒｖｉｎｇ  ｃｅｌｌ  ｂｅｃｏｍｅｓ  ｗｏｒｓｅ  ｔｈａｎ  ａｂｓｏｌｕｔｅ  ｔｈｒｅｓｈｏｌｄ）、ｉｉｉ）隣接（ｎｅｉｇｈｂｏｒｉｎｇ）セルに対する測定値がサービングセルの測定値よりオフセット値の分だけ大きくなる場合（Ｎｅｉｇｈｂｏｒｉｎｇ  ｃｅｌｌ  ｂｅｃｏｍｅｓ  ｂｅｔｔｅｒ  ｔｈａｎ  ａｎ  ｏｆｆｓｅｔ  ｒｅｌａｔｉｖｅ  ｔｏ  ｔｈｅ  ｓｅｒｖｉｎｇ  ｃｅｌｌ）、ｉｖ）隣接セルに対する測定値が絶対閾値より大きくなる場合（Ｎｅｉｇｈｂｏｒｉｎｇ  ｃｅｌｌ  ｂｅｃｏｍｅｓ  ｂｅｔｔｅｒ  ｔｈａｎ  ａｂｓｏｌｕｔｅ  ｔｈｒｅｓｈｏｌｄ）、及びｖ）サービングセルに対する測定値が絶対閾値より小さくなり、隣接セルに対する測定値が他の絶対閾値より大きくなる場合（Ｓｅｒｖｉｎｇ  ｃｅｌｌ  ｂｅｃｏｍｅｓ  ｗｏｒｓｅ  ｔｈａｎ  ｏｎｅ  ａｂｓｏｌｕｔｅ  ｔｈｒｅｓｈｏｌｄ  ａｎｄ  Ｎｅｉｇｈｂｏｒｉｎｇ  ｃｅｌｌ  ｂｅｃｏｍｅｓ  ｂｅｔｔｅｒ  ｔｈａｎ  ａｎｏｔｈｅｒ  ａｂｓｏｌｕｔｅ  ｔｈｒｅｓｈｏｌｄ）の中で少なくとも一つのイベントが含まれることができるが、これに限定されない。ここで、測定値は前述したＲＳＲＰなどであってもよい。搬送波併合環境でサービングセルはイベントによってＰＣｅｌｌ又はＳＣｅｌｌを意味することができる。
【００５３】
ソース基地局は、端末がハンドオーバーを行うか及び端末がハンドオーバーするターゲット基地局を決定することができる（Ｓ６０３）。
【００５４】
ソース基地局は、ハンドオーバーを行うために、ターゲット基地局にハンドオーバー要請メッセージを送信することができる（Ｓ６０５）。例えば、ソース基地局はターゲット基地局に端末の無線リソース制御（Ｒａｄｉｏ  Ｒｅｓｏｕｒｃｅ  Ｃｏｎｔｒｏｌ、ＲＲＣ）コンテキスト情報を提供する。
【００５５】
ターゲット基地局は、ＲＲＣコンテキスト情報に基づいて端末のハンドオーバー承認可否を決定する（Ｓ６０７）。
【００５６】
端末のハンドオーバーが承認された場合、ターゲット基地局はＨＯ要請確認（ＨＯ  ｒｅｑｕｅｓｔ  Ａｃｋｎｏｗｌｅｄｇｅ）メッセージをソース基地局に送信する（Ｓ６０９）。
【００５７】
ＨＯ要請確認メッセージを受信したソース基地局は、ＨＯ過程の遂行を指示するために、ＲＲＣ連結再設定メッセージを端末に送信する（Ｓ６１１）。ＲＲＣ連結再設定メッセージは、ターゲット基地局でサーブされる端末に共通して適用される無線リソース設定情報、保安設定、セル識別子（Ｃ−ＲＮＴＩ）などを含むことができる。例えば、ＲＲＣ連結再設定メッセージは、Ｍｅａｓｕｒｅｍｅｎｔ  Ｃｏｎｆｉｇｕｒａｔｉｏｎ  ＩＥ（ｉｎｆｏｒｍａｔｉｏｎ  ｅｌｅｍｅｎｔ）、Ｍｏｂｉｌｉｔｙ  Ｃｏｎｔｒｏｌ  ＩＥ、Ｒａｄｉｏ  Ｒｅｓｏｕｒｃｅ  Ｃｏｎｆｉｇｕｒａｔｉｏｎ  ＩＥ（例えば、ターゲット基地局のＲＢｓ、ＭＡＣ  Ｃｏｎｆｉｇｕｒａｔｉｏｎ、そしてＰｈｙｓｉｃａｌ  Ｃｈａｎｎｅｌ  Ｃｏｎｆｉｇｕｒａｔｉｏｎ、ターゲット基地局のｓｙｓｔｅｍ  ｉｎｆｏｒｍａｔｉｏｎを含むＳＩＢ）及びＳｅｃｕｒｉｔｙ  Ｃｏｎｆｉｇｕｒａｔｉｏｎ  ＩＥの少なくとも一つのＩＥを含むことができる。
【００５８】
表１はＲＲＣ連結再設定メッセージを例示する。
【００５９】
【表１−１】
0006295349.tif 000002
【００６０】
【表１−２】
0006295349.tif 000003
【００６１】
表２はＲＲＣ連結再設定メッセージに含まれたＭｏｂｉｌｉｔｙ  Ｃｏｎｔｒｏｌ  ＩＥから抜粋された一部を例示する。
【００６２】
【表２】
0006295349.tif 000004
【００６３】
表３はＭｏｂｉｌｉｔｙ  Ｃｏｎｔｒｏｌ  ＩＥ内のｒａｄｉｏ  Ｒｅｓｏｕｒｃｅ  Ｃｏｎｆｉｇ  Ｃｏｍｍｏｎ  ＩＥから抜粋された一部を例示する。
【００６４】
【表３】
0006295349.tif 000005
【００６５】
表４はＭｏｂｉｌｉｔｙ  Ｃｏｎｔｒｏｌ  ＩＥ内のＲＡＣＨ−Ｃｏｎｆｉｇ  Ｄｅｄｉｃａｔｅｄ  ＩＥを例示する。
【００６６】
【表４】
0006295349.tif 000006
【００６７】
ＲＲＣ連結再設定メッセージを受信した端末は既存セル（すなわち、ソース基地局）から分離（ｄｅｔａｃｈ）され、新たなセル（すなわち、ターゲット基地局）と同期を取る過程を行うことができる（Ｓ６１３）。
【００６８】
ソース基地局は端末がどのターゲット基地局にハンドオーバーを行うかを知っているので、ターゲット基地局に端末に送信すべき記憶されたパケットを伝達する（Ｓ６１５）。
【００６９】
ソース基地局は、バッファーされたデータ又はパケットをターゲット基地局に伝達するために、まずシーケンス番号（ＳＮ：Ｓｅｑｕｅｎｃｅ  Ｎｕｍｂｅｒ）状態伝達メッセージをターゲット基地局に送信する（Ｓ６１７）。
【００７０】
一方、ＲＲＣ連結再設定メッセージを受信した端末は、ターゲット基地局に非競争に基づく任意の接続手順を開始する。例えば、端末はターゲット基地局に任意の接続プリアンブルを送信する（Ｓ６１９）。端末はハンドオーバー命令（Ｈａｎｄｏｖｅｒ  Ｃｏｍｍａｎｄ）によって指示されたランダムアクセスプリアンブルの集合から任意に（ｒａｎｄｏｍｌｙ）一つのランダムアクセスプリアンブルを選択し、前記ランダムアクセスプリアンブルを送信することができるＰＲＡＣＨ（Ｐｈｙｓｉｃａｌ  ＲＡＣＨ）リソースを選択して送信する。ターゲット基地局は、任意の接続プリアンブルに対する応答として、ＭＡＣ（Ｍｅｄｉｕｍ  Ａｃｃｅｓｓ  Ｃｏｎｔｒｏｌ）メッセージ又はＲＲＣメッセージを介して、上りリンクリソース割当て情報及び上りリンク同期のために、タイミングアドバンス（ＴＡ：Ｔｉｍｉｎｇ  Ａｄｖａｎｃｅ）情報を端末に送信する（Ｓ６２１）。
【００７１】
端末は上りリンクリソース割当て情報及びＴＡ情報に基づいてＲＲＣ連結再設定完了メッセージをターゲット基地局に送信する（Ｓ６２３）。
【００７２】
仮に、ターゲット基地局がＲＲＣ連結再設定完了メッセージを端末から受信すれば、ターゲット基地局は端末についての情報の除去を要請するＵＥコンテキスト解除メッセージを送信する（Ｓ６２５）。
【００７３】
ＵＥコンテキスト解除メッセージを受信したサービング基地局は端末に対するリソースを解除してハンドオーバー過程を完了する（Ｓ６２７）。
【００７４】
前述した端末のハンドオーバー手順は大別してハンドオーバー準備（Ｐｒｅｐａｒａｔｉｏｎ）、ハンドオーバー実行（Ｅｘｅｃｕｔｉｏｎ）及びハンドオーバー完了（Ｃｏｍｐｌｅｔｉｏｎ）の手順に区分され、ハンドオーバー実行手順に最大の時間がかかる。ハンドオーバー実行時間（Ｅｘｅｃｕｔｉｏｎ  Ｔｉｍｅ）は、ソース基地局から端末がＲＲＣ連結再設定メッセージを受信した（Ｓ６１１）後からターゲット基地局が端末からハンドオーバー連結再設定完了メッセージを受信する（Ｓ６２３）までの時間を意味する。ハンドオーバー実行手順において端末がＲＲＣ連結再設定メッセージを処理しているうち、端末はソース基地局との連結を切り、ソース基地局からのデータ受信を中断する。端末がターゲット基地局に同期化を行い、連結を設定する前、ソース基地局はターゲット基地局に端末の下りリンクデータをフォワーディングする。このようなデータフォワーディングは、無線リソースを再設定する手順より速やかに行われる。よって、ターゲット基地局にフォワーディングされたデータは、ＵＥがターゲット基地局でデータを受信する準備となるまでは、ターゲット基地局のバッファーに記憶され、端末に送信されることを待機する。
【００７５】
このように、ＲＲＣ連結再設定メッセージを受信した端末がソース基地局から分離手順を行った後からターゲット基地局との同期化によってＲＲＣ連結再設定を完了するまでかかる時間をデータ中断時間（Ｄａｔａ  Ｉｎｔｅｒｒｕｐｔｉｏｎ  Ｔｉｍｅ）に定義することにする。現在の移動通信システムにおいてデータ中断時間（Ｄａｔａ  Ｉｎｔｅｒｒｕｐｔｉｏｎ  Ｔｉｍｅ）は約１０．５ｍｓであり、各プロセスの具体的な時間は表５の通りである。
【００７６】
【表５】
0006295349.tif 000007
【００７７】
（固定セルに対する測定及び報告）
図８は端末が固定セルに対する測定を行ってネットワークに報告する手順を説明するための図である。
【００７８】
まず、端末は基地局から測定設定（ｍｅａｓｕｒｅｍｅｎｔ  ｃｏｎｆｉｇｕｒａｔｉｏｎ）情報を受信することができる（Ｓ８１０）。以下では、このような測定設定情報を含むメッセージを測定設定メッセージと言う。端末は測定設定情報に基づいて測定を行うことができる（Ｓ８２０）。端末は、測定結果が測定設定情報内の報告条件を満たせば、測定結果を基地局に報告することができる（Ｓ８３０）。以下で、測定結果を含むメッセージを測定報告メッセージと言う。
【００７９】
測定設定情報は次のような情報を含むことができる。
【００８０】
（１）測定対象（Ｍｅａｓｕｒｅｍｅｎｔ  ｏｂｊｅｃｔ）情報：端末が測定を行う対象についての情報である。測定対象は、セル内測定対象であるｉｎｔｒａ−ｆｒｅｑｕｅｎｃｙ測定対象、セル間測定対象であるｉｎｔｅｒ−ｆｒｅｑｕｅｎｃｙ測定対象、及びｉｎｔｅｒ−ＲＡＴ測定対象であるｉｎｔｅｒ−ＲＡＴ測定対象の少なくともいずれか一つを含む。例えば、ｉｎｔｒａ−ｆｒｅｑｕｅｎｃｙ測定対象はサービングセルと同一の周波数バンドを有する周辺セルを指示し、ｉｎｔｅｒ−ｆｒｅｑｕｅｎｃｙ測定対象はサービングセルとは違う周波数バンドを有する周辺セルを指示し、ｉｎｔｅｒ−ＲＡＴ測定対象はサービングセルのＲＡＴとは違うＲＡＴの周辺セルを指示することができる。
【００８１】
（２）報告設定（Ｒｅｐｏｒｔｉｎｇ  ｃｏｎｆｉｇｕｒａｔｉｏｎ）情報：端末が測定結果をいつ報告するかに関する報告条件及び報告タイプ（ｔｙｐｅ）についての情報である。報告条件は測定結果の報告が誘発される（ｔｒｉｇｇｅｒ）イベント又は周期についての情報を含むことができる。報告タイプは測定結果をどのタイプで構成するかについての情報である。
【００８２】
（３）測定識別子（Ｍｅａｓｕｒｅｍｅｎｔ  ｉｄｅｎｔｉｔｙ）情報：測定対象と報告設定を連関させ、端末がどの測定対象に対していつどのタイプで報告するかを決定するようにする測定識別子についての情報である。測定識別子情報は測定報告メッセージに含まれ、測定結果がどの測定対象に対するものであり、測定報告がどの報告条件で発生したかを示すことができる。
【００８３】
（４）量的設定（Ｑｕａｎｔｉｔｙ  ｃｏｎｆｉｇｕｒａｔｉｏｎ）情報：測定単位、報告単位及び／又は測定結果値のフィルタリングを設定するためのパラメーターについての情報である。
【００８４】
（５）測定ギャップ（Ｍｅａｓｕｒｅｍｅｎｔ  ｇａｐ）情報：下りリンク伝送又は上りリンク伝送がスケジューリングされなくて、端末がサービングセルとのデータ伝送に対する考慮なしでただ測定にのみ使われることができる区間である測定ギャップについての情報である。
【００８５】
端末は、測定手順を行うために、測定対象リスト、測定報告設定リスト及び測定識別子リストを有してもよい。
【００８６】
３ＧＰＰ  ＬＴＥで、基地局は端末に対して一つの周波数バンドで一つの測定対象のみを設定することができる。３ＧＰＰ  ＴＳ  ３６．３３１によると、次の表のような測定報告が誘発されるイベントなどが定義されている。
【００８７】
【表６】
0006295349.tif 000008
【００８８】
端末の測定結果がこのように設定されたイベントを満たせば、端末は測定報告メッセージを基地局に送信する。
【００８９】
（移動セル（Ｍｏｖｉｎｇ  Ｃｅｌｌ））
マクロセル（Ｍａｃｒｏ  Ｃｅｌｌ）とスモールセル（Ｓｍａｌｌ  Ｃｅｌｌ）の階層的セル構造においてスモールセルの一形態として移動セルを考慮することができる。例えば、移動セルは物理的に移動する装置（例えば、ＢｕｓやＴｒａｉｎ、あるいはＳｍａｒｔ  Ｃａｒなどの交通手段）に装着された小型基地局であってもよい。一方、マクロセルは既存のように固定されたセルであってもよい。
【００９０】
固定セル（又はマクロセル）と移動セルは階層的セル構造を形成するから、マクロセルの立場で移動セルと端末は類似するように見えられることができる。しかし、移動セルは一般的な端末とは違い、多数の端末による大容量の併合トラフィック（Ａｇｇｒｅｇａｔｅｄ  Ｔｒａｆｆｉｃ）を送受信することができなければならない。よって、移動セルと固定セルの間に大容量の併合トラフィック（Ａｇｇｒｅｇａｔｅｄ  Ｔｒａｆｆｉｃ）を支援する無線のバックホールリンクが形成される。
【００９１】
一方、移動セルは端末をサービングしているので、端末の立場で移動セルは他の端末ではないサービングセルと見なされる。移動セルは物理的な移動とハンドオーバーによって自分がサービングする端末にグループ移動性（Ｇｒｏｕｐ  Ｍｏｂｉｌｉｔｙ）を提供する。移動セル内部での帯域内（Ｉｎ−ｂａｎｄ）通信は全二重（Ｆｕｌｌ  Ｄｕｐｌｅｘ）方式を支援することができる。
【００９２】
表７のように多様なタイプの移動セルを考慮することができ、移動セルのタイプによるそれぞれの特性を考慮しなければならない。
【００９３】
【表７】
0006295349.tif 000009
【００９４】
（移動セル（Ｍｏｖｉｎｇ  Ｃｅｌｌ）へのハンドオーバー）
端末の周りに多数の移動セルが位置する場合、例えば端末と第１移動セルが同一方向に移動し、端末と第２移動セルが互いに交差する方向に移動すると仮定する。端末と第２移動セルが交差する時点に第２移動セルの品質が第１移動セルの品質より高く測定されるので、端末が固定セルのハンドオーバー方式で第２移動セルにハンドオーバーを行うことができる。ハンドオーバー後に第２移動セルが端末から遠くなるにつれて信号品質は急激に悪くなり、端末はさらにハンドオーバーを行わなければならない。このように、多くの移動セルが端末の周辺で移動する場合、固定セルに対するハンドオーバー方式によると、ターゲット移動セルが不適切に選択されることがある。
【００９５】
言い換えれば、固定セルに対するハンドオーバー方式は、セルが端末に近付くかそれとも遠くなるかに関係なくセルが測定された時点の信号品質にのみ依存する。このような方式では、端末が搭乗した移動セル（例えば、バスや汽車など）であるか、搭乗しなかった移動セルであるかが区別できない。よって、端末が搭乗したかあるいは搭乗すべき移動セルであるかを検出してハンドオーバーを行うようにする必要がある。既存のハンドオーバー方式において、固定セルに対して定義された測定報告トリガー（Ｍｅａｓｕｒｅｍｅｎｔ  Ｒｅｐｏｒｔ  Ｔｒｉｇｇｅｒ）条件とは違い、移動セルに対する測定報告トリガー条件が本発明の実施例によって新しく定義できる。
【００９６】
さらに、移動セルに対するハンドオーバーにおいてデータ中断を最小化するために、サービングセルとの連結を切り、ターゲットセルへの連結を設定する既存のハンドオーバー手順を変更する必要がある。本発明の一実施例によると、端末のＱｏＳを向上させるために、端末は固定セルに設定された主連結（Ｐｒｉｍａｒｙ  Ｃｏｎｎｅｃｔｉｏｎ）を維持しながら移動セルに副連結（Ｓｅｃｏｎｄａｒｙ  Ｃｏｎｎｅｃｔｉｏｎ）を設定し、ハンドオーバーの際に移動セルに対して設定された副連結（Ｓｅｃｏｎｄａｒｙ  Ｃｏｎｎｅｃｔｉｏｎ）を主連結（Ｐｒｉｍａｒｙ  Ｃｏｎｎｅｃｔｉｏｎ）に切り替える。
【００９７】
以下、固定セルに連結されてサービスを受ける端末が自分に適した移動セルにデータ中断なしでハンドオーバーを行うようにする方法をもっと詳細に説明する。
【００９８】
図９は本発明の一実施例によって端末が移動セルにハンドオーバーする方法を示す図である。図９には移動セルが一つのみ示されているが、これは説明の便宜のためのもので、多数の移動セルが端末の周辺に位置することができるのが当業者であれば理解可能である。端末は固定セルによってサブ（ｓｅｒｖｅ）されていると仮定する。
【００９９】
図９を参照すると、端末は固定セルから測定設定情報を受信する（Ｓ９００）。測定設定情報はＲＲＣシグナリングによって端末に提供されることができる。例えば、ＲＲＣ  Ｃｏｎｎｅｃｔｉｏｎを設定する手順又はＲＲＣ  Ｃｏｎｎｅｃｔｉｏｎ  Ｒｅｃｏｎｆｉｇｕｒａｔｉｏｎ手順で測定設定情報が端末に提供されることができる。
【０１００】
測定設定情報には、測定対象（ｍｅａｓｕｒｅｍｅｎｔ  ｏｂｊｅｃｔ）及び測定報告のトリガー条件情報を含むことができる。測定対象は移動セルの物理セル識別子（Ｐｈｙｓｉｃａｌ  Ｃｅｌｌ  ＩＤ）、周波数チャネル番号（Ｆｒｅｑｕｅｎｃｙ  Ｃｈａｎｎｅｌ  Ｎｕｍｂｅｒ）、オフセットについての情報の少なくとも一つを含むことができる。
【０１０１】
測定対象となる移動セルは固定セルに接続した移動セルであってもよい。例えば、固定セルは自分に接続した移動セルを測定することを指示する測定設定情報を端末に提供することができる。
【０１０２】
一方、測定報告のトリガー条件は測定対象となる移動セルの移動性を考慮して新しく定義できる。例えば、表６で前述したＡ１〜Ａ６のイベントなどの以外に、表８のようなイベントなどが移動セルの測定報告のために新しく定義される。
【０１０３】
【表８】
0006295349.tif 000010
【０１０４】
測定設定情報はイベントＡ３−１及びＡ４−１の少なくとも一つを含むことができる。また、イベントＡ３−１又はＡ４−１が端末に設定される場合、固定セルは、端末にイベントＡ３又はＡ４のイベントを設定しないかあるいは端末が移動セルの測定にイベントＡ３又はＡ４のイベントを適用しないこともできる。
【０１０５】
イベントＡ３−１の意味は、移動セルの信号品質がＰｃｅｌｌ（例えば、固定セル）の信号品質より所定のオフセット以上の分だけ高いことがよく、また、設定された時間区間（Ｐｒｅｄｅｆｉｎｅｄ＿Ｔｉｍｅ＿Ｉｎｔｅｒｖａｌ）以後にも依然として移動セルの信号品質がＰｃｅｌｌの信号品質よりオフセット以上の分だけ高いことが良い場合を意味する。オフセットは測定設定情報に含まれたオフセット情報であってもよいが、これに限定されない。イベントＡ４−１の意味は、移動セルの信号品質が所定の閾値よりよく、また、設定された時間区間（Ｐｒｅｄｅｆｉｎｅｄ＿Ｔｉｍｅ＿Ｉｎｔｅｒｖａｌ）以後にも依然として移動セルの信号品質が所定の閾値より良い場合を意味する。
【０１０６】
イベントＡ３−１で、端末は移動セルの信号品質が一時的にだけＰｃｅｌｌより良い場合に移動セルの測定結果を報告するものではなく、移動セルの信号品質が所定の時間区間後にもＰｃｅｌｌより良い場合に移動セルの測定結果を固定セルに報告する。例えば、第１時点及び第２時点に移動セルを測定した測定結果がそれぞれＰＣｅｌｌの測定結果よりオフセット以上の分だけ高い場合、第１時点から第２時点まで持続的に移動セルの信号品質がＰｃｅｌｌよりも優れると見なすことができる。この場合、端末は移動セルの移動軌跡に沿って動くと仮定することができる。例えば、移動セルがバスや汽車などの移動体に位置し、端末が該当の移動体に搭乗したと見なすことができる。
【０１０７】
前述した実施例によると、第１時点での測定と第１時点からＰｒｅｄｅｆｉｎｅｄ＿Ｔｉｍｅ＿Ｉｎｔｅｒｖａｌ後の第２時点での測定をそれぞれ用いて測定報告をトリガーし、測定報告のトリガーに必要な測定回数は２回に限定されるものではない。端末は、移動セルと固定セルをＮ（Ｎは２以上の自然数）回測定した結果を統計的に分析した結果を用い、測定結果を報告するかを判断することができる。例えば、端末はＰｒｅｄｅｆｉｎｅｄ＿Ｔｉｍｅ＿Ｉｎｔｅｒｖａｌの間隔でＮ回測定した結果によって、移動セルの信号品質の平均と固定セルの信号品質の平均を比較して測定報告可否を判断することができる。
【０１０８】
他の実施例で、端末は、Ｎ回測定した移動セルの信号品質の傾きと固定セルの信号品質の傾きをさらに考慮することができる。例えば、図１１（ａ）を参照すると、第１測定及び第２測定では固定セルが移動セルより優れた信号品質を示すが、第３測定では移動セルが固定セルより優れた信号品質を示す。この場合、信号品質の平均は移動セルより固定セルで高く現れることができる。また、移動セルの信号品質は、第１測定及び第２測定ではイベントＡ４−１の閾値に至ることができない。しかし、信号品質の傾きを考慮すると、端末と移動セルの移動軌跡が互いに近接又は類似のパターンを有し、端末が固定セルから遠くなると見なすことができるので、端末は移動セルと固定セルの測定結果を固定セルに報告することができる。
【０１０９】
一方、図１１（ｂ）を参照すると、Ｎ回の測定結果、移動セルの信号品質が固定セルの信号品質及びイベントＡ４−１の閾値より毎度優れると現れるが、移動セルの信号品質は段々悪くなる反面、固定セルの信号品質が次第に向上する。このように、それからも移動セルの信号品質が持続的に悪くなることが予想されるので、該当の移動セルは端末がハンドオーバーするのに適しないと見なすことができ、よって端末は該当の移動セルに対する測定結果を固定セルに報告しないこともできる。
【０１１０】
このように、端末は移動セル及び／又は固定セルを少なくともＮ回測定した結果を統計的に分析し、測定報告を固定セルに送信するかを決定することができる。
【０１１１】
一方、基地局は、Ｎ回の測定回数、測定報告の基準となる信号品質の傾き及びＰｒｅｄｅｆｉｎｅｄ＿Ｔｉｍｅ＿Ｉｎｔｅｒｖａｌの少なくとも一つを決定することができる。例えば、基地局は、無線ネットワーク環境、移動セルの移動速度、端末の移動速度の少なくとも一つを考慮して前述したパラメーターを決定することができる。より具体的に、基地局は、相対的に速く移動する移動セル又は端末の場合、Ｐｒｅｄｅｆｉｎｅｄ＿Ｔｉｍｅ＿Ｉｎｔｅｒｖａｌを小さな値に設定し、遅く移動する移動セルの場合、Ｐｒｅｄｅｆｉｎｅｄ＿Ｔｉｍｅ＿Ｉｎｔｅｒｖａｌを大きい値に設定することができる。すなわち、Ｐｒｅｄｅｆｉｎｅｄ＿Ｔｉｍｅ＿Ｉｎｔｅｒｖａｌは移動セル又は端末の移動速度に反比例することができる。
【０１１２】
図９に戻り、端末は前述したように測定を行い（Ｓ９０５）、測定報告を固定セルに送信する（Ｓ９１０）。
【０１１３】
測定報告を受信した固定セルは、端末との副連結（Ｓｅｃｏｎｄａｒｙ  Ｃｏｎｎｅｃｔｉｏｎ）を設定することを要請するメッセージを移動セルに送信する（Ｓ９１５）。副連結要請のために、ＲＲＣ連結再設定要請メッセージを使うことができるが、これに限定されない。副連結は搬送波併合でのＳＣｅｌｌのように考慮することができる。すなわち、端末が移動セルをＳＣｅｌｌとして追加及び活性化することにより、端末は移動セルとの副連結を設定することができる。副連結要請メッセージは、端末のＩＤ、コンテキスト（Ｃｏｎｔｅｘｔ）情報を含むことができる。端末のコンテキスト情報は、Ｅ−ＲＡＢ（Ｅ−ＵＴＲＡＮ  Ｒａｄｉｏ  Ａｃｃｅｓｓ  Ｂｅａｒｅｒ）情報の少なくとも一部、端末の性能（Ｃａｐａｂｉｌｉｔｙ）、固定セルが端末に設定した無線リソース（Ｒａｄｉｏ  Ｒｅｓｏｕｒｃｅ）関連情報（例えば、ＬＴＥ／ＬＴＥ−Ａ  ＴＳ３６．３３１に定義されたＲａｄｉｏＲｅｓｏｕｒｃｅＣｏｎｆｉｇＤｅｄｉｃａｔｅｄ  ＩＥ）、端末が移動セルを副連結に設定することを示す指示子（Ｉｎｄｉｃａｔｉｏｎ）の少なくとも一つを含むことができるが、これに限定されない。
【０１１４】
移動セルは副連結要請に対する承認制御を行う（Ｓ９２０）。移動セルは、端末のコンテキスト情報のうちＥ−ＲＡＢ関連情報に基づき、端末に対応するＲＡＢを受諾することができるか否かを判断する。
【０１１５】
移動セルは、固定セルに承認制御を行った結果によって、副連結応答メッセージを固定セルに送信する（Ｓ９２５）。ＲＲＣ  Ｃｏｎｎｅｃｔｉｏｎ  Ｒｅｃｏｎｆｉｇｕｒａｔｉｏｎ  Ａｃｋメッセージを副連結応答メッセージとして用いることができるが、これに限定されない。副連結応答メッセージは、移動セルが端末との副連結を設定するか否かを示す。副連結応答メッセージは、端末のＩＤ、端末に対して受諾されたＥ−ＲＡＢ情報、それから移動セルを主連結（Ｐｒｉｍａｒｙ  Ｃｏｎｎｅｃｔｉｏｎ）に切り替えるのに必要な専用プリアンブル（Ｄｅｄｉｃａｔｅｄ  Ｐｒｅａｍｂｌｅ）、移動セルが端末に対する主連結に転換された後に端末が移動セルで使うＣ−ＲＮＴＩなどを含むことができる。ここで、副連結のために使われるＣ−ＲＮＴＩと主連結のために使われるＣ−ＲＮＴＩが同一であっても、互いに異なってもよい。副連結応答メッセージは、端末のために移動セルが副連結に設定されたことを知らせる情報（例えば、ＳＣｅｌｌ  Ｃｏｎｆｉｇｕｒａｔｉｏｎ）を含むことができる。
【０１１６】
固定セルは、端末にＲＲＣ連結再設定メッセージを送信する（Ｓ９３０）。ＲＲＣ連結再設定メッセージは、端末に移動セルを副連結に設定することを指示することができる。例えば、ＲＲＣ連結再設定メッセージは、移動セルをＳｃｅｌｌとして付け加えることを指示することができる。ＲＲＣ連結再設定メッセージは、副連結設定に対する指示、副連結に設定した移動セルを主連結に切り替えるための指示、移動セルが主連結に設定された後、端末が移動セルで使うべきＣ−ＲＮＴＩ、移動セルに非競争に基づくランダムアクセスを行うのに必要な専用プリアンブル（Ｄｅｄｉｃａｔｅｄ  Ｐｒｅａｍｂｌｅ）の少なくとも一つを含むことができる。表９は本発明の一実施例によるＲＲＣ連結再設定メッセージを示す。表１と比較すると、表９に陰影で表示された部分が移動セルへのハンドオーバーのために新たに定義されたことを確認することができる。
【０１１７】
【表９−１】
0006295349.tif 000011
【０１１８】
【表９−２】
0006295349.tif 000012
【０１１９】
ＲＲＣ連結再設定メッセージは副連結を主連結に切り替える時点又はトリガーイベントについての情報を含むことができる。例えば、固定セルの信号品質が閾値未満となれば、副連結を主連結に切り替えるイベント、所定の時間の後に移動セルの信号品質が閾値を超える場合、副連結を主連結に切り替えるイベントなどについての情報がＲＲＣ連結再設定メッセージに含まれることができるが、これに限定されない。他の実施例において、移動セルに対する副連結が設定されれば、端末を直ちに副連結から主連結に切り替えることもできる。
【０１２０】
固定セルは、ＤＬで端末に送信するかあるいはＵＬで端末から受信したＥ−ＲＡＢについての状態情報を伝達するために、ＳＮ  Ｓｔａｔｕｓ  Ｔｒａｎｓｆｅｒメッセージを移動セルに送信する（Ｓ９３５）。
【０１２１】
端末は、ＲＲＣ連結再設定メッセージに含まれた情報（例えば、Ｄｅｄｉｃａｔｅｄ  Ｐｒｅａｍｂｌｅ）を用いて移動セルとの同期化を行う（Ｓ９４０）。
【０１２２】
移動セルは、ＵＬ伝送のためのリソースとＴＡ（Ｔｉｍｅ  ａｄｖａｎｃｅｄ）情報を端末に送信する（Ｓ９４５）。
【０１２３】
端末は、移動セルにＲＲＣ連結再設定完了メッセージを送信する（Ｓ９５０）。これは、端末が副連結設定を完了したことをネットワークに知らせるための手順である。
【０１２４】
端末で副連結を主連結に切り替えるイベントが発生すれば（Ｓ９５５）、端末は移動セルとの副連結を主連結に切り替えるために、ＲＲＣ連結を設定する（Ｓ９６０）。端末は、副連結を主連結に切り替えるイベントが発生すれば、測定報告の伝送なしで副連結を主連結に切り替える手順を開始する。図９は固定セルの信号品質が閾値未満となるとき、副連結を主連結に切り替えるイベントが端末に設定されたと仮定する。
【０１２５】
移動セルは、固定セルに副連結が主連結に切り替えられたことを示すＰＣｅｌｌ  Ｃｈａｎｇｅ  Ｉｎｄｉｃａｔｉｏｎメッセージを送信する（Ｓ９６５）。
【０１２６】
固定セルは、Ｅ−ＲＡＢ  Ｔｒａｎｓｆｅｒメッセージを介して、端末のＥ−ＲＡＢについての情報及びＤＬに送信するかあるいはＵＬに受信したＥ−ＲＡＢについての情報を移動セルに送信する（Ｓ９７０）。Ｓ９１５で既に端末についての全てのＥ−ＲＡＢ情報が伝達された場合、この手順は省略することができる。
【０１２７】
固定セルは、端末とのＲＲＣ連結を解除するために、ＲＲＣ  Ｃｏｎｎｅｃｔｉｏｎ  Ｒｅｌｅａｓｅメッセージを送信する（Ｓ９７５）。前述したように、移動セルへのハンドオーバーは固定セルへのハンドオーバーとは違い、端末が固定セルとの連結を切らずに副連結を主連結に切り替えることにより、ハンドオーバーが行われる。端末が固定セルとの連結を解除する理由は、端末が移動セルに搭乗して移動するにつれて固定セルのハンドオーバーが余りに頻繁に発生することがあるからである。
【０１２８】
一方、前述した実施例とは違い、副連結を直ちに主連結に切り替える他の実施例においては、Ｓ９５０のＲＲＣ連結再設定完了メッセージは、端末が副連結を主連結に切り替えたことをネットワークに知らせるために使うことができる。この場合、副連結要請メッセージに含まれたＥ−ＲＡＢ情報は現在固定セルを介してサービスされている全てのＥ−ＲＡＢ情報を含まなければならない。また、端末と移動セル間のＲＲＣ  Ｃｏｎｎｅｃｔｉｏｎ  Ｓｅｔｕｐ及びＥ−ＲＡＢ  Ｔｒａｎｓｆｅｒメッセージは省略することができる。また、ＲＲＣ連結再設定メッセージに含まれた主連結転換指示は端末が移動セルを直ちに主連結に切り替える指示と理解することができる。
【０１２９】
図１０は本発明の他の一実施例による端末の移動セルへのハンドオーバー方法を示す図である。図９と重複する説明は省略する。本実施例において、副連結を主連結に切り替えるための条件として、所定の時間以後に移動セルの品質が閾値を超える場合に端末が副連結を主連結に切り替えるように設定されたと仮定する。
【０１３０】
端末は測定設定情報を受信し（Ｓ１０００）、測定設定情報によって移動セル及び／又は固定セルを測定する（Ｓ１００５）。端末は測定報告を固定セルに送信する（Ｓ１０１０）。
【０１３１】
固定セルは副連結要請メッセージを移動セルに送信し（Ｓ１０１５）、副連結応答メッセージを移動セルから受信する（Ｓ１０２５）。副連結要請メッセージは端末が固定セルを介してサービスされている全てのＥ−ＲＡＢ情報を含まないことがあり得る。固定セルは、ＲＲＣ連結再設定メッセージを端末に送信し（Ｓ１０３０）、ＳＮ  Ｓｔａｔｕｓ  Ｔｒａｎｓｆｅｒメッセージを移動セルに送信する（Ｓ１０３５）。
【０１３２】
ＲＲＣ連結再設定メッセージは、副連結を主連結に切り替えるための条件として、所定の時間以後に移動セルの品質が閾値を超える場合に端末が副連結を主連結に切り替えることを指示する情報を含むことができる。
【０１３３】
端末は、非競争基盤のランダムアクセス手順によって移動セルとの同期化を行う（Ｓ１０４０）。
【０１３４】
移動セルは、端末からのランダムアクセス手順が成功的に完了したことを知らせるＲＡ  Ｃｏｍｐｌｅｔｅ  Ｉｎｄｉｃａｔｉｏｎメッセージを固定セルに送信する（Ｓ１０４５）。
【０１３５】
端末は、固定セルにＲＲＣ連結再設定完了メッセージを送信する（Ｓ１０５０）。これは、端末が固定セルとのベアラー（Ｂｅａｒｅｒ）設定を変更し、移動セルとの副連結設定を完了したことをネットワークに知らせるための手順である。
【０１３６】
端末で副連結を主連結に切り替えるためのイベントが発生すれば（Ｓ１０５５）、端末は移動セルとの副連結を主連結に切り替える（Ｓ１０６０）。
【０１３７】
移動セルは、Ｐｃｅｌｌ  Ｃｈａｎｇｅ  Ｉｎｄｉｃａｔｉｏｎメッセージを固定セルに送信し（Ｓ１０６５）、固定セルは、Ｅ−ＲＡＢ  Ｔｒａｎｓｆｅｒメッセージを移動セルに送信する（Ｓ１０７０）。固定セルは端末とのＲＲＣ連結を解除する（Ｓ１０７５）。
【０１３８】
図１２は本発明の一実施例による端末と基地局の構造を示す図である。基地局は固定セルであっても、移動セルであってもよい。図１２に示した端末と基地局はそれぞれ前述した方法を行うことができる。
【０１３９】
基地局１０は、受信機１１、送信機１２、プロセッサ１３、メモリ１４及び複数のアンテナ１５を含むことができる。複数アンテナ１５はＭＩＭＯ送受信を支援する基地局を意味する。受信機１１は端末からの上りリンク上の各種の信号、データ及び情報を受信することができる。送信機１２は端末への下りリンク上の各種の信号、データ及び情報を送信することができる。プロセッサ１３は基地局１０の全般の動作を制御することができる。
【０１４０】
基地局１０のプロセッサ１３は、その外にも、基地局１０が受信した情報、外部に送信すべき情報などを演算処理する機能を果たし、メモリ１４は演算処理された情報などを所定時間の間に記憶することができ、バッファー（図示せず）などの構成要素に取り替えられることができる。
【０１４１】
一実施例によって、基地局１０が固定セルの場合、送信機１２は固定セルに接続した移動セル（Ｍｏｖｉｎｇ  Ｃｅｌｌ）に対する測定報告条件を含む測定設定情報を端末に送信する。受信機１１は、移動セルに対する測定結果が測定報告条件を満たす場合、移動セルに対する測定結果を端末から受信する。プロセッサ１３は、固定セルに対する主連結（Ｐｒｉｍａｒｙ  Ｃｏｎｎｅｃｔｉｏｎ）に加え、移動セルに対する副連結（Ｓｅｃｏｎｄａｒｙ  Ｃｏｎｎｅｃｔｉｏｎ）を設定することを指示するＲＲＣ連結再設定メッセージを生成する。ＲＲＣ連結再設定メッセージは、端末が移動セルにハンドオーバーするために固定セルに対する主連結を解除し、移動セルに対する副連結を主連結に切り替える条件を含むことができる。
【０１４２】
端末２０は、受信機２１、送信機２２、プロセッサ２３、メモリ２４、及び複数のアンテナ２５を含むことができる。複数のアンテナ２５はＭＩＭＯ送受信を支援する端末を意味する。受信機２１は、基地局からの下りリンク上の各種の信号、データ、及び情報を受信することができる。送信機２２は、基地局への上りリンク上の各種の信号、データ、及び情報を送信することができる。プロセッサ２３は、端末２０の全般の動作を制御することができる。
【０１４３】
端末２０のプロセッサ２３は、その外にも、端末２０が受信した情報、外部に送信すべき情報などを演算処理する機能を果たし、メモリ２４は演算処理された情報などを所定時間の間に記憶することができ、バッファー（図示せず）などの構成要素に取り替えられることができる。
【０１４４】
本発明の一実施例によると、受信機２１は、固定セルから移動セルに対する測定報告条件を含む測定設定情報を受信する。送信機２２は、移動セルに対する測定結果が測定報告条件を満たす場合、移動セルに対する測定結果を固定セルに報告する。プロセッサ２３は、固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定する。プロセッサ２３は、固定セルに対する主連結を解除し、移動セルに対する副連結を主連結に切り替えることによって移動セルにハンドオーバーする。
【０１４５】
前述した本発明の実施例は多様な手段によって具現できる。例えば、本発明の実施例は、ハードウェア、ファームウエア（ｆｉｒｍｗａｒｅ）、ソフトウェア又はそれらの組合せなどによって具現できる。
【０１４６】
ハードウェアによる具現の場合、本発明の実施例による方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現できる。
【０１４７】
ファームウエアやソフトウェアによる具現の場合、本発明の実施例による方法は、以上で説明した機能又は動作を遂行モジュール、手順又は関数などの形態に具現できる。ソフトウェアコードはメモリユニットに記憶され、プロセッサによって駆動できる。前記メモリユニットは前記プロセッサの内部又は外部に位置し、既に知られた多様な手段によって前記プロセッサとデータをやり取りすることができる。
【０１４８】
前述したような本発明の好ましい実施例についての詳細な説明は当業者が本発明を具現して実施することができるように提供された。前記では本発明の好適な実施例を参照して説明したが、当該技術分野の熟練した当業者は本発明の領域から逸脱しない範疇内で本発明を多様に修正及び変更することができることが理解可能であろう。例えば、当業者は前述した実施例に記載した各構成を互いに組み合せる方式で用いることができる。よって、本発明はこれに開示した実施形態に制限されるものではなく、ここに開示した原理及び新規の特徴と一致する最広の範囲を付与しようとするものである。
【０１４９】
本発明は本発明の精神及び必須特徴を逸脱しない範疇内で他の特定の形態に具体化できる。よって、前記詳細な説明はどんな面でも制限的に解釈されてはいけないし、例示的なものと見なされなければならない。本発明の範囲は添付の請求範囲の合理的解釈によって決定されなければならなく、本発明の等価的範囲内の全ての変更は本発明の範囲に含まれる。また、請求範囲で明示的な引用関係がない請求項を結合して実施例を構成するか出願後の補正によって新たな請求項として含むことができる。
【０１５０】
例えば、本願発明は以下の項目を提供する。
（項目１）
固定セル（Ｆｉｘｅｄ  Ｃｅｌｌ）に接続した端末が移動セル（Ｍｏｖｉｎｇ  Ｃｅｌｌ）にハンドオーバーを行う方法であって、
前記固定セルから前記移動セルに対する測定報告条件を含む測定設定情報を受信する段階；
前記移動セルに対する測定結果が前記測定報告条件を満たす場合、前記移動セルに対する測定結果を前記固定セルに報告する段階；
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定する段階；及び
前記固定セルに対する主連結を解除し、前記移動セルに対する副連結を主連結に切り替えることによって前記移動セルにハンドオーバーする段階を含む、方法。
（項目２）
前記移動セルに対する測定結果を前記固定セルに報告する段階は、
前記移動セルを少なくとも２回以上測定して前記移動セルの測定結果を報告するかを判断する、項目１に記載の方法。
（項目３）
前記移動セルの測定結果を報告するかを判断する段階は、
第１時点と第２時点で共に前記移動セルの信号品質が前記固定セルの信号品質より所定のオフセット以上の分だけ高い場合、前記移動セルに対する測定結果を前記固定セルに報告することを決定する、項目２に記載の方法。
（項目４）
前記移動セルの測定結果を報告するかを判断する段階は、
第１時点と第２時点で共に前記移動セルの信号品質が所定の閾値より高い場合、前記移動セルに対する測定結果を前記固定セルに報告することを決定する、項目２に記載の方法。
（項目５）
前記測定設定情報は、
前記移動セルが測定される時点間の時間間隔についての情報をさらに含む、項目１に記載の方法。
（項目６）
前記時間間隔についての情報は、
前記移動セルの移動速度及び前記端末の移動速度の少なくとも一つに基づいて決定する、項目５に記載の方法。
（項目７）
前記移動セルに対する副連結を前記主連結に切り替えるための条件を含むメッセージを受信する段階をさらに含む、項目１に記載の方法。
（項目８）
前記移動セルに対する副連結を前記主連結に切り替えるための条件は、
前記固定セルの信号品質が第１閾値より低くなる場合；及び
特定の時点後に前記移動セルの信号品質が第２閾値より高くなる場合の少なくとも一つを含む、項目７に記載の方法。
（項目９）
固定セル（Ｆｉｘｅｄ  Ｃｅｌｌ）が端末のハンドオーバーを支援する方法であって、
前記固定セルに接続した移動セル（Ｍｏｖｉｎｇ  Ｃｅｌｌ）に対する測定報告条件を含む測定設定情報を前記端末に送信する段階；
前記移動セルに対する測定結果が前記測定報告条件を満たす場合、前記移動セルに対する測定結果を前記端末から受信する段階；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを前記端末に送信する段階を含み、
前記ＲＲＣ連結再設定メッセージは、前記端末が前記移動セルにハンドオーバーするために、前記固定セルに対する主連結を解除し、前記移動セルに対する副連結を主連結に切り替える条件を含む、方法。
（項目１０）
前記移動セルに対する測定報告条件は、
第１時点と第２時点で共に前記移動セルの信号品質が前記固定セルの信号品質より所定のオフセット以上の分だけ高い場合；及び
前記第１時点と前記第２時点で共に前記移動セルの信号品質が所定の閾値より高い場合の少なくとも一つを含む、項目９に記載の方法。
（項目１１）
前記測定設定情報は、
前記移動セルが測定される時点間の時間間隔についての情報をさらに含む、項目９に記載の方法。
（項目１２）
前記時間間隔についての情報は、
前記移動セルの移動速度及び前記端末の移動速度の少なくとも一つに基づいて決定する、項目１１に記載の方法。
（項目１３）
前記移動セルに対する副連結を前記主連結に切り替えるための条件は、
前記固定セルの信号品質が第１閾値より低くなる場合；及び
特定の時点後に前記移動セルの信号品質が第２閾値より高くなる場合の少なくとも一つを含む、項目９に記載の方法。
（項目１４）
固定セル（Ｆｉｘｅｄ  Ｃｅｌｌ）から移動セル（Ｍｏｖｉｎｇ  Ｃｅｌｌ）にハンドオーバーを行う端末であって、
前記固定セルから前記移動セルに対する測定報告条件を含む測定設定情報を受信する受信機；
前記移動セルに対する測定結果が前記測定報告条件を満たす場合、前記移動セルに対する測定結果を前記固定セルに報告する送信機；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定し、前記固定セルに対する主連結を解除し、前記移動セルに対する副連結を主連結に切り替えることによって前記移動セルにハンドオーバーするプロセッサを含む、端末。
（項目１５）
端末のハンドオーバーを支援する固定セル（Ｆｉｘｅｄ  Ｃｅｌｌ）であって、
前記固定セルに接続した移動セル（Ｍｏｖｉｎｇ  Ｃｅｌｌ）に対する測定報告条件を含む測定設定情報を前記端末に送信する送信機；
前記移動セルに対する測定結果が前記測定報告条件を満たす場合、前記移動セルに対する測定結果を前記端末から受信する受信機；及び
前記固定セルに対する主連結（Ｐｒｉｍａｒｙ  Ｃｏｎｎｅｃｔｉｏｎ）に加え、前記移動セルに対する副連結（Ｓｅｃｏｎｄａｒｙ  Ｃｏｎｎｅｃｔｉｏｎ）を設定することを指示するＲＲＣ連結再設定メッセージを生成するプロセッサを含み、
前記ＲＲＣ連結再設定メッセージは、前記端末が前記移動セルにハンドオーバーするために、前記固定セルに対する主連結を解除し、前記移動セルに対する副連結を主連結に切り替える条件を含む、固定セル。
【産業上の利用可能性】
【０１５１】
前述したように、本発明の実施例は多様な移動通信システムに適用可能である。
【図１】
0006295349.tif 000013
【図２】
0006295349.tif 000014
【図３】
0006295349.tif 000015
【図４】
0006295349.tif 000016
【図５】
0006295349.tif 000017
【図６】
0006295349.tif 000018
【図７】
0006295349.tif 000019
【図８】
0006295349.tif 000020
【図９】
0006295349.tif 000021
【図１０】
0006295349.tif 000022
【図１１（ａ）】
0006295349.tif 000023
【図１１（ｂ）】
0006295349.tif 000024
【図１２】
0006295349.tif 000025